(57)【要約】【課題】転写構成体を不必要に大型化することなく、両面搬送構成体の装着、未装着に拘わらず、開閉扉の開閉動作に伴って転写構成体を移動案内する。【解決手段】装置筐体１の扉開口１ａ縁に回転支点３ａを中心として開閉自在に設けられる開閉扉３と、装置筐体１に対して開閉扉３の回転支点３ａとは異なる回転支点４ａを中心に回転自在に設けられ且つ開閉扉３の開閉動作に追従して開閉扉３に対して相対移動する転写構成体４と、開閉扉３開閉時に転写構成体４を移動案内する案内部材７ａ及び被案内部材７ｂを有する案内機構７と、前記開閉扉３に着脱自在に保持され、片面記録済みの記録材５が搬送部材１２にて両面搬送経路１３を経て戻される両面搬送構成体１０とを備え、両面搬送構成体１０が、記録材５の両面搬送経路１３領域及び搬送部材駆動伝達部１４以外の部位に開閉扉３の案内部材７ａが貫通配置される開口部１５を有する。【選択図】図１
2010008485.tif 000002
【特許請求の範囲】
【請求項１】
側方に扉開口を有する装置筐体内に着脱自在に設けられ、少なくとも転写可能な像が保持される像保持体を含む作像手段と、
前記装置筐体の扉開口縁に回転支点を中心として開閉自在に設けられて扉開口を開閉する開閉扉と、
前記作像手段による像保持体上の像を記録材に転写するために配設され、前記装置筐体に対して前記開閉扉の回転支点とは異なる回転支点を中心に回転自在に設けられ且つ開閉扉の開閉動作に追従して開閉扉に対して相対移動する転写構成体と、
前記開閉扉に設けられて開閉扉開閉時に転写構成体を移動案内する案内部材及び転写構成体に設けられて開閉扉開閉時に前記案内部材に当接する被案内部材を有する案内機構と、
前記開閉扉に着脱自在に保持されて開閉扉と転写構成体との間に設けられ、片面作像済みの記録材の他の片面に対して作像可能にすべく前記作像手段の手前まで片面作像済みの記録材が搬送部材にて両面搬送経路を経て戻される両面搬送構成体とを備え、
前記両面搬送構成体は、記録材の両面搬送経路領域及び搬送部材駆動伝達部以外の部位に開閉扉の案内部材が貫通配置される開口部を有することを特徴とする画像形成装置。
【請求項２】
請求項１記載の画像形成装置において、
開閉扉の案内部材は、開閉扉開閉時に転写構成体の被案内部材の移動方向に沿って延び且つ被案内部材の移動方向に交差する方向の位置が規制される位置規制部を有することを特徴とする画像形成装置。
【請求項３】
請求項１又は２記載の画像形成装置において、
開閉扉に保持される両面搬送構成体と転写構成体との間に位置決め機構が設けられ、この位置決め機構は、開閉扉閉鎖時に両面搬送構成体と転写構成体とを位置決めするもので、両面搬送構成体に設けられて転写構成体を位置決めする位置決め部材及び転写構成体に設けられて前記両面搬送構成体の位置決め部材と係わって位置決めされる被位置決め部材を有することを特徴とする画像形成装置。
【請求項４】
請求項３記載の画像形成装置において、
案内機構は、位置決め機構を除いた部位に案内部材及び被案内部材を配置したものであることを特徴とする画像形成装置。
【請求項５】
請求項１ないし４いずれかに記載の画像形成装置において、
案内機構は、搬送部材駆動伝達部を境に分離した複数の案内部材及び複数の被案内部材を有するものであることを特徴とする画像形成装置。
【請求項６】
請求項１ないし５いずれかに記載の画像形成装置において、
開閉扉閉鎖時に転写構成体が作像手段側に付勢される付勢手段を備えていることを特徴とする画像形成装置。
【請求項７】
請求項１ないし６いずれかに記載の画像形成装置において、
両面搬送構成体は、両面搬送経路を挟んで対向する一対の搬送経路部材を有し、一方の搬送経路部材を開閉扉に固定的に保持すると共に、この搬送経路部材に対して他方の搬送経路部材を開閉自在に設け、一方の搬送経路部材に搬送部材駆動伝達部及び開口部を設けると共に、他方の開閉自在な搬送経路部材を前記搬送部材駆動伝達部、開口部と非対向な位置に配置することを特徴とする画像形成装置。
【請求項８】
側方に扉開口を有する装置筐体内に着脱自在に設けられ、少なくとも転写可能な像が保持される像保持体を含む作像手段と、
前記装置筐体の扉開口縁に回転支点を中心として開閉自在に設けられて扉開口を開閉する開閉扉と、
前記作像手段による像保持体上の像を記録材に転写するために配設され、前記装置筐体に対して前記開閉扉の回転支点とは異なる回転支点を中心に回転自在に設けられ且つ開閉扉の開閉動作に追従して開閉扉に対して相対移動する転写構成体と、
前記開閉扉に設けられて開閉扉開閉時に転写構成体を移動案内する案内部材及び転写構成体に設けられて開閉扉開閉時に前記案内部材に当接する被案内部材を有する案内機構とを備えた画像形成装置に用いられる両面搬送構成体であって、
前記開閉扉に着脱自在に保持されて開閉扉と転写構成体との間に設けられ、片面作像済みの記録材の他の片面に対して作像可能にすべく前記作像手段の手前まで片面記録済みの記録材が搬送部材にて両面搬送経路を経て戻されると共に、記録材の両面搬送経路領域及び搬送部材駆動伝達部以外の部位に開閉扉の案内部材が貫通配置される開口部を有することを特徴とする両面搬送構成体。
【発明の詳細な説明】
【技術分野】
【０００１】
本発明は、画像形成装置及びこれに用いられる両面搬送構成体に関する。
【背景技術】
【０００２】
従来における画像形成装置としては、例えば特許文献１〜３に記載のものが知られている。
特許文献１は、回転支点が異なる開閉部材、転写ユニットを有し、開閉部材の開閉動作に伴って転写ユニットを追従移動させる方式で、開閉部材と転写ユニットとの間に記録材を搬送する搬送手段を設けることを可能とする態様である。
特許文献２は、開閉カバーを開く動作に連動して、用紙搬送ガイドが開き、用紙搬送路と反転搬送路が同時に開放される態様である。
特許文献３は、複数の画像形成手段と対向する搬送部材を有し、この搬送部材が開閉手段の開閉動作に連動して移動する態様である。
【０００３】
【特許文献１】特開２００７−０４７５７１号公報（特許請求の範囲，実施例１，図３）
【特許文献２】特開２００５−３３００６７号公報（発明を実施するための最良の形態，図６）
【特許文献３】特開２００５−２７５３７４号公報（発明を実施するための最良の形態，図２）
【発明の開示】
【発明が解決しようとする課題】
【０００４】
本発明の技術的課題は、転写構成体を不必要に大型化することなく、両面搬送構成体の装着、未装着に拘わらず、開閉扉の開閉動作に伴って転写構成体を移動案内することを可能とすることにある。
【課題を解決するための手段】
【０００５】
請求項１に係る発明は、側方に扉開口を有する装置筐体内に着脱自在に設けられ、少なくとも転写可能な像が保持される像保持体を含む作像手段と、前記装置筐体の扉開口縁に回転支点を中心として開閉自在に設けられて扉開口を開閉する開閉扉と、前記作像手段による像保持体上の像を記録材に転写するために配設され、前記装置筐体に対して前記開閉扉の回転支点とは異なる回転支点を中心に回転自在に設けられ且つ開閉扉の開閉動作に追従して開閉扉に対して相対移動する転写構成体と、前記開閉扉に設けられて開閉扉開閉時に転写構成体を移動案内する案内部材及び転写構成体に設けられて開閉扉開閉時に前記案内部材に当接する被案内部材を有する案内機構と、前記開閉扉に着脱自在に保持されて開閉扉と転写構成体との間に設けられ、片面作像済みの記録材の他の片面に対して作像可能にすべく前記作像手段の手前まで片面作像済みの記録材が搬送部材にて両面搬送経路を経て戻される両面搬送構成体とを備え、前記両面搬送構成体が、記録材の両面搬送経路領域及び搬送部材駆動伝達部以外の部位に開閉扉の案内部材が貫通配置される開口部を有することを特徴とする画像形成装置である。
【０００６】
請求項２に係る発明は、請求項１に係る画像形成装置において、開閉扉の案内部材が、開閉扉開閉時に転写構成体の被案内部材の移動方向に沿って延び且つ被案内部材の移動方向に交差する方向の位置が規制される位置規制部を有することを特徴とする画像形成装置である。
請求項３に係る発明は、請求項１又は２に係る画像形成装置において、開閉扉に保持される両面搬送構成体と転写構成体との間に位置決め機構が設けられ、この位置決め機構は、開閉扉閉鎖時に両面搬送構成体と転写構成体とを位置決めするもので、両面搬送構成体に設けられて転写構成体を位置決めする位置決め部材及び転写構成体に設けられて前記両面搬送構成体の位置決め部材と係わって位置決めされる被位置決め部材を有することを特徴とする画像形成装置である。
請求項４に係る発明は、請求項３に係る画像形成装置において、案内機構が、位置決め機構を除いた部位に案内部材及び被案内部材を配置したものであることを特徴とする画像形成装置である。
請求項５に係る発明は、請求項１ないし４いずれかに係る画像形成装置において、案内機構が、搬送部材駆動伝達部を境に分離した複数の案内部材及び複数の被案内部材を有するものであることを特徴とする画像形成装置である。
請求項６に係る発明は、請求項１ないし５いずれかに係る画像形成装置において、開閉扉閉鎖時に転写構成体が作像手段側に付勢される付勢手段を備えていることを特徴とする画像形成装置である。
請求項７に係る発明は、請求項１ないし６いずれかに係る画像形成装置において、両面搬送構成体が、両面搬送経路を挟んで対向する一対の搬送経路部材を有し、一方の搬送経路部材を開閉扉に固定的に保持すると共に、この搬送経路部材に対して他方の搬送経路部材を開閉自在に設け、一方の搬送経路部材に搬送部材駆動伝達部及び開口部を設けると共に、他方の開閉自在な搬送経路部材を前記搬送部材駆動伝達部、開口部と非対向な位置に配置することを特徴とする画像形成装置である。
【０００７】
請求項８に係る発明は、側方に扉開口を有する装置筐体内に着脱自在に設けられ、少なくとも転写可能な像が保持される像保持体を含む作像手段と、前記装置筐体の扉開口縁に回転支点を中心として開閉自在に設けられて扉開口を開閉する開閉扉と、前記作像手段による像保持体上の像を記録材に転写するために配設され、前記装置筐体に対して前記開閉扉の回転支点とは異なる回転支点を中心に回転自在に設けられ且つ開閉扉の開閉動作に追従して開閉扉に対して相対移動する転写構成体と、前記開閉扉に設けられて開閉扉開閉時に転写構成体を移動案内する案内部材及び転写構成体に設けられて開閉扉開閉時に前記案内部材に当接する被案内部材を有する案内機構とを備えた画像形成装置に用いられる両面搬送構成体であって、前記開閉扉に着脱自在に保持されて開閉扉と転写構成体との間に設けられ、片面作像済みの記録材の他の片面に対して作像可能にすべく前記作像手段の手前まで片面記録済みの記録材が搬送部材にて両面搬送経路を経て戻されると共に、記録材の両面搬送経路領域及び搬送部材駆動伝達部以外の部位に開閉扉の案内部材が貫通配置される開口部を有することを特徴とする両面搬送構成体である。
【発明の効果】
【０００８】
請求項１に係る発明によれば、転写構成体を不必要に大型化することなく、両面搬送構成体の装着、未装着に拘わらず、開閉扉の開閉動作に伴って転写構成体を移動案内することができる。
請求項２に係る発明によれば、例えば開閉時に開閉扉がねじれても、転写構成体の被案内部材が案内部材から脱落することを有効に防止することができる。
請求項３に係る発明によれば、開閉扉閉鎖時において転写構成体と両面搬送構成体とを位置決めすることができ、記録材の搬送性を良好に保つことができる。
請求項４に係る発明によれば、位置決め機構と案内機構とが干渉する事態を有効に防止することができ、転写構成体と両面搬送構成体との位置決め動作、転写構成体、開閉扉との案内動作を安定的に実現することができる。
請求項５に係る発明によれば、転写構成体の大型化を防止しながら、搬送部材駆動伝達部と案内機構とを干渉することなく配置することができる。
請求項６に係る発明によれば、開閉扉閉鎖時の転写構成体と作像手段との間の位置決め精度を良好に保つことができる。
請求項７に係る発明によれば、不必要に大型化することなく、開閉扉と転写構成体との間に両面搬送構成体を容易に組み込むことができる。
請求項８に係る発明によれば、転写構成体を不必要に大型化することなく、両面搬送構成体の装着、未装着に拘わらず、開閉扉の開閉動作に伴って転写構成体を移動案内することが可能な画像形成装置を容易に構築することができる。
【発明を実施するための最良の形態】
【０００９】
◎実施の形態の概要
図１は本発明が適用される画像形成装置の実施の形態の概要を示す。
同図において、画像形成装置は、側方に扉開口１ａを有する装置筐体１内に着脱自在に設けられ、少なくとも転写可能な像が保持される像保持体２ａを含む作像手段２と、前記装置筐体１の扉開口１ａ縁に回転支点３ａを中心として開閉自在に設けられて扉開口１ａを開閉する開閉扉３と、前記作像手段２による像保持体２ａ上の像を記録材５に転写するために配設され、前記装置筐体１に対して前記開閉扉３の回転支点３ａとは異なる回転支点４ａを中心に回転自在に設けられ且つ開閉扉３の開閉動作に追従して開閉扉３に対して相対移動する転写構成体４と、前記開閉扉３に設けられて開閉扉３開閉時に転写構成体４を移動案内する案内部材７ａ及び転写構成体４に設けられて開閉扉３開閉時に前記案内部材７ａに当接する被案内部材７ｂを有する案内機構７と、前記開閉扉３に着脱自在に保持されて開閉扉３と転写構成体４との間に設けられ、片面作像済みの記録材５の他の片面に対して作像可能にすべく前記作像手段２の手前まで片面作像済みの記録材５が搬送部材１２にて両面搬送経路１３を経て戻される両面搬送構成体１０とを備え、前記両面搬送構成体１０が、記録材５の両面搬送経路１３領域及び搬送部材駆動伝達部１４以外の部位に開閉扉３の案内部材７ａが貫通配置される開口部１５を有するものである。
【００１０】
このような技術的手段において、装置筐体１は側方の一部に扉開口１ａを有するものであればよく、ここでいう‘側方’は設置箇所に対して上方、下方以外を広く意味するものであり、設置された装置筐体１の操作者側側方は勿論、左右側方、更には背面側側方をも含むものである。
また、転写構成体４は作像手段２の像保持体２ａの像を記録材５に転写するものであればよいが、開閉扉３と転写構成体４とは異なる回転支点３ａ，４ａにていずれも装置筐体１に対して回転支持されることを要する。この場合において、回転支点３ａ，４ａの位置は通常固定的に設定されるが、所定の軌跡に沿って移動するように設定される態様も含む。
本態様においては、転写構成体４は開閉扉３の開閉動作に追従して開閉扉３に対して相対移動することになるが、開閉扉３側に転写構成体４を組み込んだ態様に比べて、開閉扉３の開閉操作力が軽くなり、その分、開閉扉３の開閉操作性が良好に保たれる点で好ましい。
更に、案内機構７は、開閉扉３と転写構成体４との間に設けられ、開閉扉３側に案内部材７ａ、転写構成体４側に被案内部材７ｂを設けた態様であればよい。この案内部材７ａ、被案内部材７ｂは、開閉扉３、転写構成体４と一体的に構成してもよいし、別部材を取り付けるようにしてもよい。
【００１１】
また、両面搬送構成体１０は開閉扉３に着脱自在に設けられるものであって、記録材５を両面搬送する態様に対し開閉扉３に付加すればよく、記録材５を両面搬送する必要のない態様では特に設ける必要はないものである。
そして、両面搬送構成体１０の開口部１５は両面搬送経路１３領域及び搬送部材駆動伝達部１４以外の部位に設けられており、この場合、記録材５の搬送動作、搬送部材１２の駆動について影響することはない。
ここでいう‘開口部１５’は貫通孔は勿論であるが、切欠なども含む。また、搬送部材駆動伝達部１４は少なくとも搬送部材１２に駆動力を伝達する機構、例えば駆動伝達ギア列などを含むものであればよく、駆動源を直接有していてもよいし、別途の駆動源からの駆動力を間接的に伝達するものでもよい。
尚、両面搬送構成体１０を付加しない態様にあっては、図２に示すように、案内機構７は、開閉扉３開閉時に開閉扉３側の案内部材７ａに対し転写構成体４側の被案内部材７ｂが当接しながら案内され、開閉扉３の開閉動作に追従して転写構成体４が移動する。
【００１２】
また、本実施の形態において、案内機構７の好ましい態様として案内部材７ａに対する被案内部材７ｂの脱落を有効に防止するという観点からすれば、開閉扉３の案内部材７ａは、開閉扉３開閉時に転写構成体４の被案内部材７ｂの移動方向に沿って延び且つ被案内部材７ｂの移動方向に交差する方向の位置が規制される位置規制部を有するものが挙げられる。ここでいう位置規制部としては、例えば交差方向の一方だけでもよいし、両方でもよい。
更に、本実施の形態において、転写構成体４と両面搬送構成体１０との位置決め性を良好に保つという観点からすれば、開閉扉３に保持される両面搬送構成体１０と転写構成体４との間に図示外の位置決め機構が設けられ、この位置決め機構が、開閉扉３閉鎖時に両面搬送構成体１０と転写構成体４とを位置決めするもので、両面搬送構成体１０に設けられて転写構成体４を位置決めする位置決め部材及び転写構成体４に設けられて前記両面搬送構成体１０の位置決め部材と係わって位置決めされる被位置決め部材を有するものが挙げられる。
このような位置決め機構を備えた画像形成装置の好ましい態様としては、案内機構７は、位置決め機構を除いた部位に案内部材７ａ及び被案内部材７ｂを配置したものが挙げられる。
【００１３】
また、案内機構７と搬送部材駆動伝達部１４とを干渉させないという観点からすれば、案内機構７は、搬送部材駆動伝達部１４を境に分離した複数の案内部材７ａ及び複数の被案内部材７ｂを有するものである態様が好ましい。
更に、転写構成体４の好ましい支持態様として、転写構成体４と作像手段２の像保持体２ａとの位置決め精度を良好に保つという観点からすれば、開閉扉３閉鎖時に転写構成体４が作像手段２側に付勢される付勢手段を備えているものが挙げられる。
更にまた、両面搬送構成体１０の好ましい態様としては、両面搬送経路１３を挟んで対向する一対の搬送経路部材１１（１１ａ，１１ｂ）を有し、一方の搬送経路部材１１ａを開閉扉３に固定的に保持すると共に、この搬送経路部材１１ａに対して他方の搬送経路部材１１ｂを開閉自在に設け、一方の搬送経路部材１１ａに搬送部材駆動伝達部１４及び開口部１５を設けると共に、他方の開閉自在な搬送経路部材１１ｂを前記搬送部材駆動伝達部１４、開口部１５と非対向な位置に配置するようにすればよい。
また、このような画像形成装置を容易に構築するには上述した特有構成の両面搬送構成体１０を採用するようにすればよい。
【００１４】
以下、添付図面に示す実施の形態に基づいてこの発明をより詳細に説明する。
◎実施の形態１
−画像形成装置の全体構成−
図３は本発明が適用された画像形成装置の実施の形態１の全体構成を示す。
同図において、画像形成装置は、装置筐体２１の操作者側側方（図中右方）に扉開口２２（図４参照）を有し、この扉開口２２を開閉扉２３にて開閉するものである。
そして、装置筐体２１の上部には記録済みの記録材Ｓを排出収容する記録材排出受け２７が設けられ、装置筐体２１の下部には未記録の記録材Ｓを収容する記録材収容容器２５が配設されると共に、装置筐体２１内には記録材収容容器２５から記録材排出受け２７まで略鉛直方向に沿って記録材Ｓを搬送する記録材搬送経路２６が設けられており、装置筐体２１内のうち記録材搬送経路２６に沿って複数（例えばイエロ、マゼンタ、シアン、ブラック）の色成分画像を形成するための作像ユニット３０（具体的には３０Ｙ，３０Ｍ，３０Ｃ，３０Ｋ）が上下方向に並んで配設されている。
【００１５】
ここで、作像ユニット３０は、所定方向に回転する感光体３１を有し、この感光体３１の周囲には、感光体３１が予め帯電される例えば帯電ロールからなる帯電器３２と、この帯電器３２にて帯電された感光体３１に各色成分静電潜像が書き込まれる例えばレーザ露光装置からなる光書込装置３３と、この光書込装置３３にて書き込まれた各色成分静電潜像が対応する色現像剤にて可視像化される現像器３４と、感光体３１上に残留した廃現像剤が清掃される清掃器３５とを配設したものである。
また、装置筐体２１内のうち作像ユニット３０の感光体３１に対向した部位には転写ユニット４０が設けられている。
この転写ユニット４０は、複数の張架ロール４２，４３にて記録材Ｓが搬送される搬送ベルト４１を張架し、各作像ユニット３０の感光体３１に対向した搬送ベルト４１の背面には例えば転写ロールからなる転写器４４を配設し、この転写器４４にて搬送ベルト４１上に搬送される記録材Ｓに対し感光体３１上の各色成分画像を転写するものである。尚、符号４９は搬送ベルト４１に記録材Ｓを静電気で吸着保持するための静電吸着部材（例えば静電吸着ロール）である。
【００１６】
更に、記録材収容容器２５には収容された記録材Ｓを一枚ずつ送り出す送り出し機構５１が設けられ、この送り出し機構５１と転写ユニット４０との間の記録材搬送経路２６には記録材Ｓを位置合わせした後に送り出す位置合わせロール（レジストレーションロール）５２が設けられている。
そして、転写ユニット４０と記録材排出受け２７との間に位置する記録材搬送経路２６には記録材Ｓ上の画像を定着するための定着器５３が設けられ、この定着器５３の下流側には記録材Ｓを搬送するための搬送ロール５４及び記録材排出受け２７へ記録材Ｓを排出するための排出ロール５５が夫々設けられている。
更にまた、本実施の形態では、画像形成装置は記録材Ｓに対して両面記録が可能な両面搬送ユニット１００（図４，図６参照）を備えている。
本実施の形態では、両面搬送ユニット１００は、片面記録済みの記録材Ｓの他の片面に対して画像形成可能にするために、片面記録済みの記録材Ｓが戻される両面搬送経路１１０を備えている。この両面搬送経路１１０は、排出ロール５５のニップ部位と位置合わせロール５２のニップ部位手前との間で記録材搬送経路２６を迂回する搬送経路であって、適宜数の搬送ロール１１１，１１２を有していると共に、排出ロール５５は正逆回転可能に設けられ、両面記録時には片面記録済みの記録材Ｓを一旦ニップして正転搬送した後に、両面搬送経路１１０に向けて記録材Ｓをニップしたまま逆転搬送するようになっている。
尚、本実施の形態では、両面搬送経路１１０は、両面搬送ユニット１００に確保される部分に加えて、両面搬送ユニット１００の部分に連なるように装置筐体２１内に予め設けられており、装置筐体２１内に予め設けられた両面搬送経路１１０には適宜数の搬送ロール１１３が配設されている。
【００１７】
−開閉扉−
開閉扉２３は、図４ないし図６に示すように、装置筐体２１の扉開口２２縁に扉枠体６０の下部を回転支点６１にて回転支持し、扉開口２２が閉鎖される閉鎖位置から略９０度開放した位置まで回転支点６１を中心として扉枠体６０を開閉するようにしたものである。
ここで、扉枠体６０の回転支点６１から離間した回転自由端寄りには開閉扉２３閉鎖時に装置筐体２１側の図示外の引掛け孔に引っ掛ける引っ掛け片６２が設けられており、また、扉枠体６０には後述する両面搬送ユニット１００の設置スペース６３が確保されており、この両面搬送ユニット１００がねじ等の止め具を介して着脱自在に配設されるようになっている。
【００１８】
−両面搬送ユニット−
両面搬送ユニット１００は、記録材Ｓの片面に画像記録を施す態様から記録材Ｓの両面に画像記録を施す態様に変更する際に開閉扉２３に組み込み、前述した両面搬送経路１１０を確保するようになっている。
具体的には、両面搬送ユニット１００は、図４ないし図７に示すように、両面搬送経路１１０を挟んで対向する一対の板状搬送経路部材１０１，１０２を有し、一方の搬送経路部材１０１を開閉扉２３に固定的に保持すると共に、この搬送経路部材１０１に対して他方の搬送経路部材１０２を開閉自在に設けたものである。
ここで、一方の搬送経路部材１０１の両面搬送経路１１０に面した部位には記録材Ｓの搬送方向に沿って複数の搬送ロール１１１，１１２が回転軸１１５を介して回転可能に設けられており、一方の搬送経路部材１０１の両面搬送経路１１０から外れた一側部には各搬送ロール１１１，１１２の回転軸１１５に駆動伝達可能な例えば駆動伝達ギア列などの駆動伝達機構１１６が設けられ、この駆動伝達機構１１６には駆動モータ１１７からの駆動力が伝達されるようになっている。
更に、本実施の形態では、一方の搬送経路部材１０１のうち駆動伝達機構１１６を設けた側で両面搬送経路１１０と駆動伝達機構１１６との間には、記録材Ｓの搬送方向に沿って延びるスリット開口１１８が設けられている。本例では、このスリット開口１１８は搬送ロール１１１の回転軸１１５を挟んで複数に分割形成されており、一方の分割スリット開口１１８Ａが搬送ロール１１１，１１２の回転軸１１５間に位置するように配置され、他方の分割スリット開口１１８Ｂが搬送ロール１１１の回転軸１１５を境に一方の分割スリット開口１１８Ａより上方に配置されている。
また、他方の搬送経路部材１０２には一方の搬送経路部材１０１の各搬送ロール１１１，１１２に対応した部位には各搬送ロール１１１，１１２に接触して従動回転する従動搬送ロール１１１’，１１２’が設けられている。
この他方の搬送経路部材１０２は少なくとも両面搬送経路１１０が区画可能な寸法を有していればよく、一方の搬送経路部材１０１の駆動伝達機構１１６、駆動モータ１１７とは非対向な位置に配置されている。
【００１９】
−転写ユニット−
転写ユニット４０は、図４及び図８に示すように、交換時に把持可能な把持部４６が設けられた転写枠体４５を有し、この転写枠体４５に張架ロール４２，４３を設けると共に、この張架ロール４２，４３に搬送ベルト４１を掛け渡したものであり、一方の張架ロール４２に駆動伝達用ギア４７を設けたものである。
更に、転写ユニット４０は、転写枠体４５の把持部４６とは反対側の下部に回転支点４８を有し、装置筐体２１の扉開口２２縁に回転支点４８を介して回転可能に支持されている。
この転写ユニット４０の回転支点４８は、開閉扉２３の回転支点６１とは異なる部位に設けられている。
【００２０】
−案内機構−
＜全体構成＞
本実施の形態では、図４ないし図６並びに図８に示すように、開閉扉２３と転写ユニット４０との間に開閉扉２３開閉時に開閉扉２３の開閉動作に追従して転写ユニット４０が移動する案内機構１２０が設けられている。
この案内機構１２０は、開閉扉２３の幅方向両側には開閉扉２３閉鎖時の上下方向に沿って延びる案内部材１２１，１２２を設け、転写ユニット４０側には前記案内部材１２１，１２２に当接する被案内部材１３１，１３２を設けたものであるが、両面搬送ユニット１００の駆動伝達側と駆動伝達反対側とで構成が異なっている。
【００２１】
＜両面搬送ユニットの駆動伝達側案内機構＞
ここで、案内機構１２０の一方の案内部材１２１は、開閉扉２３の扉枠体６０のうち両面搬送ユニット１００の配設位置に面した部位に設けられており、両面搬送ユニット１００の搬送ロール１１１の回転軸１１５を挟んで分割形成されており、一方の分割案内部材１２１Ａが両面搬送ユニット１００の一方の分割スリット開口１１８Ａを貫通して転写ユニット４０に対向配置されると共に、他方の分割案内部材１２１Ｂが両面搬送ユニット１００の他方の分割スリット開口１１８Ｂを貫通して転写ユニット４０に対向配置される。
【００２２】
更に、一方の分割案内部材１２１Ａの転写ユニット４０に対向する案内面は、例えば図１０〜図１５に示すように、開閉扉２３が全開放位置から閉動作する過程で転写ユニット４０の相対移動方向に向かって次第に転写ユニット４０側に突出するように傾斜する緩やかな傾斜案内面１２３を有し、この傾斜案内面１２３の最も突出した側を開閉扉２３の開度姿勢に沿う非傾斜案内面１２４として形成したものである。また、他方の分割案内部材１２１Ｂの転写ユニット４０に対向する案内面は、開閉扉２３の開度姿勢に沿う非傾斜案内面１２５を有するもので、この非傾斜案内面１２５の一方の分割案内部材１２１Ａ側に位置する端部を傾斜案内面１２６としてカットしたものである。
更にまた、案内機構１２０の一方の被案内部材１３１は、転写ユニット４０の相対移動方向に沿って先後に分割して突出配置される複数の被案内突起１３１Ａ，１３１Ｂからなり、開閉扉２３が全開放位置から閉鎖位置に至る間、転写ユニット４０の相対移動方向に向かって先に位置する被案内突起１３１Ａが一方の分割案内部材１２１Ａの傾斜案内面１２３及び非傾斜案内面１２４に沿って移動し、被案内突起１３１Ａが一方の分割案内部材１２１Ａの非傾斜案内面１２４から外れた時点で、後に位置する被案内突起１３１Ｂが一方の分割案内部材１２１Ａの傾斜案内面１２３及び非傾斜案内面１２４に沿って移動し、後に位置する被案内突起１３１Ｂが一方の分割案内部材１２１Ａの非傾斜案内面１２４から外れた時点で、先に位置する被案内突起１３１Ａが他方の分割案内部材１２１Ｂの傾斜案内面１２６に受け渡されて非傾斜案内面１２５へと移動するようになっている。
尚、本例では、被案内突起１３１Ａ，１３１Ｂは突出端が湾曲部として形成されており、案内部材１２１の案内面との接触抵抗を低減する構成になっている。
【００２３】
＜位置規制リブ＞
更にまた、本実施の形態では、一方の分割案内部材１２１Ａの案内面のうち転写ユニット４０の相対移動方向に交差する幅方向外側縁には位置規制リブ１２７が連続的に立ち上げ形成され、この位置規制リブ１２７は転写ユニット４０側の被案内部材１３１（被案内突起１３１Ａ，１３１Ｂ）が一方の分割案内部材１２１Ａの案内面から脱落するのを防止するものである。尚、本例では、位置規制リブ１２７は分割案内部材１２１Ａの案内面の幅方向外側縁に沿って連続的に設けられているが、これに限られるものではなく、例えば分割案内部材１２１Ａの案内面の幅方向内側縁に連続的に設けられていてもよいし、あるいは、前記案内面の幅方向両側縁に対構成で連続的に設けられていてもよいし、あるいは、前記案内面の幅方向一側縁又は両側縁に沿って不連続的に設けられるようにしてもよい。
【００２４】
＜両面搬送ユニットの駆動伝達反対側案内機構＞
案内機構１２０の他方の案内部材１２２は、開閉扉２３の扉枠体６０のうち両面搬送ユニット１００の配設位置から外れた側方部位に設けられており、開閉扉２３の開閉動作に追従して転写ユニット４０が相対移動する方向に沿って延びている。そして、この案内部材１２２の転写ユニット４０に対向する案内面は、例えば図１７〜１９に示すように、開閉扉２３が全開放位置から閉動作する過程で転写ユニット４０の相対移動方向に向かって次第に転写ユニット４０側に突出するように傾斜する緩やかな傾斜案内面１２８を有し、この傾斜案内面１２８の最も突出した側を開閉扉２３の開度姿勢に沿う非傾斜案内面１２９として形成したものである。
また、案内機構１２０の他方の被案内部材１３２は案内部材１２２（図６参照）の案内面に向かって突出配置される突起からなり、開閉扉２３が全開放位置から閉鎖位置に至る間、転写ユニット４０の相対移動方向に向かって案内部材１２２の傾斜案内面１２８及び非傾斜案内面１２９に沿って移動し、開閉扉２３が閉鎖位置に到達した時点で、案内部材１２２の非傾斜案内面１２９から外れた位置に到達するようになっている。
本例では、被案内部材１３２は、一方の被案内部材１３１と同様に、突出端が湾曲部として形成されており、案内部材１２２の案内面との接触抵抗を低減する構成になっている。
尚、本実施の形態では、この案内部材１２２の案内面には一方の分割案内部材１２１Ａの位置規制リブ１２７に相当する位置規制部は設けられていないが、前記位置規制リブ１２７の存在にて案内部材１２２とこれに対向する被案内部材１３２との間の相対位置関係も間接的に規制される。
【００２５】
−位置決め機構−
本実施の形態では、転写ユニット４０と両面搬送ユニット１００との間には開閉扉２３閉鎖時に両者間を位置決めする位置決め機構１５０が設けられている。
この位置決め機構１５０は、図５〜図８に示すように、両面搬送ユニット１００の搬送経路部材１０２の記録材搬送方向に交差する幅方向両側に位置決め片１５１を外側に向けて突出配置し、この位置決め片１５１に位置決め孔１５２を開設する一方、転写ユニット４０の前記位置決め孔１５２に対応した部位には位置決め突起１５３を設けたものである。
ここで、位置決め片１５１に開設された位置決め孔１５２は、例えば図１０に示すように、ロート状に窄まる形状に構成されており、転写ユニット４０側の位置決め突起１５３が芯出しされた状態で位置決め孔１５２に嵌合するようになっている。
特に、本実施の形態では、両面搬送ユニット１００の位置決め片１５１は、搬送ロール１１１の回転軸１１５の配設位置に対応した部位に設けられており、一方の搬送経路部材１０１に設けられた分割スリット開口１１８Ａ，１１８Ｂの境部分に面して配置されている。
このため、位置決め機構１５０による位置決め動作は、分割スリット開口１１８Ａ，１１８Ｂを通じて行われる案内機構１２０による案内動作と干渉することはない。
【００２６】
−押圧機構−
本実施の形態では、転写ユニット４０と開閉扉２３との間には開閉扉２３閉鎖時に転写ユニット４０を作像ユニット３０側に押し付ける押圧機構１６０が設けられている。
この押圧機構１６０は、図８及び図９に示すように、転写ユニット４０の幅方向両側に一対設けられており、付勢スプリング１６２にて付勢される押圧ピン１６１を有し、この押圧ピン１６１に対応した開閉扉２３の扉枠体６０にはストッパ壁１６３を設け、開閉扉２３閉鎖時には付勢スプリング１６２を圧縮させた状態で前記ストッパ壁１６３に押圧ピン１６１を接触させるようにしたものである。
特に、本実施の形態では、押圧機構１６０は、両面搬送ユニット１００の駆動伝達反対側においては独自に設けられているが、両面搬送ユニット１００の駆動伝達側においては案内機構１２０の一部を兼用した構成になっている。
つまり、両面搬送ユニット１００の駆動伝達側においては、押圧機構１６０の押圧ピン１６１は案内機構１２０の一方の被案内突起１３１Ａで兼用し、ストッパ壁１６３が一方の分割案内部材１２１Ｂで兼用する構成になっており（図６参照）、押圧機構１６０が前記位置決め機構１５０に近い部位で働くようになっている。
更に、本実施の形態では、両面搬送ユニット１００の駆動伝達反対側に位置する押圧機構１６０は前記位置決め機構１５０の近くに設けられており（図６参照）、こちらも押圧機構１６０が前記位置決め機構１５０に近い部位で働くようになっている。
尚、独自に構成された押圧機構１６０においても、ストッパ壁１６３は非傾斜案内面１６４を有すると共に、この非傾斜案内面１６４の押圧ピン１６１の侵入側には傾斜案内面１６５が設けられている。
【００２７】
−両面搬送ユニットを付加した開閉扉の開閉動作（図１０〜図２０）−
次に、両面搬送ユニット１００を付加した態様の画像形成装置について開閉扉の開閉動作過程を説明する。
開閉扉２３を開閉すると、開閉扉２３が回転支点６１を中心に開閉動作するが、これに追従して転写ユニット４０が回転支点４８を中心として相対移動する。
このとき、転写ユニット４０は、案内機構１２０によって所定の案内軌跡に沿って相対移動していき、開閉扉２３閉鎖時には、転写ユニット４０と両面搬送ユニット１００とが位置決め機構１５０にて位置決めされると共に、転写ユニット４０と作像ユニット３０との位置関係を保つために、転写ユニット４０が押圧機構１６０にて作像ユニット３０側に押圧される。
【００２８】
＜両面搬送ユニットの駆動伝達側案内機構（図１０〜図１６）＞
先ず、案内機構１２０のうち、両面搬送ユニット１００の駆動伝達側案内機構の動作過程について説明する。
今、開閉扉２３が全開放位置から閉鎖位置に向けて閉鎖するものと仮定する。
図１０に示すように、開閉扉２３が全開放位置にある場合には、案内機構１２０のうち先に位置する被案内突起１３１Ａが分割案内部材１２１Ａの傾斜案内面１２３の入口付近に接触配置されている。
この状態において、開閉扉２３を閉動作していくと、図１１及び図１２に示すように、先に位置する被案内突起１３１Ａが分割案内部材１２１Ａの傾斜案内面１２３から非傾斜案内面１２４に沿って相対移動していき、非傾斜案内面１２４の終端位置に到達する。
このような動作過程において、分割案内部材１２１Ａには位置規制リブ１２７が設けられているため、被案内突起１３１Ａが分割案内部材１２１Ａの案内面から脱落することはない。
【００２９】
更に、開閉扉２３を閉動作すると、図１３に示すように、開閉扉２３の閉鎖位置からの開度がθ（例えば３０°〜４０°程度に設定）に到達した時点で、先に位置する被案内突起１３１Ａが分割案内部材１２１Ａの案内面から外れ、後に位置する被案内突起１３１Ｂが分割案内部材１２１Ａの傾斜案内面１２３に接触配置される。
この後、開閉扉２３を閉動作していくと、図１４に示すように、後に位置する被案内突起１３１Ｂが分割案内部材１２１Ａの傾斜案内面１２３から非傾斜案内面１２４へと相対移動していく。
この間、後に位置する被案内突起１３１Ｂが分割案内部材１２１Ａにて案内移動されているため、先に位置する被案内突起１３１Ａは、分割案内部材１２１Ａ，１２１Ｂとは非接触であるが、所定の案内軌跡に沿って移動する。
そして、開閉扉２３が閉鎖位置に到達すると、図１５及び図１６に示すように、後に位置する被案内突起１３１Ｂが分割案内部材１２１Ａの案内面から外れる一方、先に位置する被案内突起１３１Ａが分割案内部材１２１Ｂの傾斜案内面１２６を通じて非傾斜案内面１２５に接触配置される。
このとき、位置決め機構１５０による転写ユニット４０の位置決め突起１５３が両面搬送ユニット１００の位置決め孔１５２に嵌合し、転写ユニット４０と両面搬送ユニット１００とが位置決めされる。
また、先に位置する被案内突起１３１Ａは分割案内部材１２１Ｂの非傾斜案内面１２５に接触配置しているが、これは押圧機構１６０として働くことになるため、転写ユニット４０は作像ユニット３０側に押圧され、転写ユニット４０と作像ユニット３０との間の位置関係が良好に保たれる。
【００３０】
＜両面搬送ユニットの駆動伝達反対側案内機構（図１７〜図１９）＞
次に、案内機構１２０のうち、両面搬送ユニット１００の駆動伝達反対側案内機構の動作過程について説明する。
今、開閉扉２３が全開放位置から閉鎖位置に向けて閉鎖するものと仮定する。
図１７に示すように、開閉扉２３が全開放位置にある場合には、案内機構１２０のうち被案内部材１３２が案内部材１２２の傾斜案内面１２８の入口付近に接触配置されている。
この状態において、開閉扉２３を閉動作していくと、図１８に示すように、被案内部材１３２が案内部材１２２の傾斜案内面１２８から非傾斜案内面１２９に沿って相対移動していく。
そして、開閉扉２３が閉鎖位置に到達すると、図１９に示すように、被案内部材１３２が案内部材１２２の案内面から外れるが、押圧機構１６０の押圧ピン１６１が開閉扉２３側のストッパ壁１６３に接触配置され、転写ユニット４０が作像ユニット３０側に押圧配置される。
このとき、位置決め機構１５０による転写ユニット４０の位置決め突起１５３が両面搬送ユニット１００の位置決め孔１５２に嵌合し、転写ユニット４０と両面搬送ユニット１００とが位置決めされる。
【００３１】
−案内機構の位置関係について（図２０）−
本実施の形態では、両面搬送ユニット１００の駆動伝達側案内機構１２０は、両面搬送ユニット１００のスリット開口１１８（分割スリット開口１１８Ａ，１１８Ｂ）を通じて両面搬送ユニット１００の配設スペース内に配置されているため、両面搬送ユニット１００の幅方向両側に設けられる案内機構１２０間の寸法ｍ１はある程度短寸に設定することが可能である。尚、図２０（ａ）中、ｓ１は両面搬送ユニット１００の幅寸法を示す。
この点、両面搬送ユニット１００の配設スペース外に案内機構１２０’を設置する比較の形態にあっては、図２０（ｂ）に示すように、両面搬送ユニット１００の駆動伝達機構１１６、駆動モータ１１７（図６参照）と干渉しない部位に案内機構１２０’（案内部材１２１’，１２２’）を設置しなければならないため、両面搬送ユニット１００の幅方向両側に設けられる案内機構１２０’間の寸法ｍ２は実施の形態１の場合（ｍ１）に比べて大きく設定しなければならない。そうすると転写ユニット４０の被案内部材１３１も対応して幅方向外側に移動するため、転写ユニット４０の幅寸法が大きくなり、それを支持している装置筐体２１の幅寸法も大きくなり装置全体が大型化する。尚、図２０（ｂ）中、ｓ２は両面搬送ユニット１００の幅寸法を示し、実施の形態１のｓ１と略同寸法であるものとする。
【００３２】
−両面搬送ユニットを取り外した開閉扉の開閉動作（図２１，図２２）−
次に、両面搬送ユニット１００を取り外した画像形成装置について開閉扉の開閉動作について説明する。
両面搬送ユニット１００を取り外した態様にあっては、図２１及び図２２に示すように、開閉扉２３を開閉動作すると、開閉扉２３と転写ユニット４０との間では案内機構１２０が両面搬送ユニット１００を組み込んだ態様と同様に作用し、開閉扉２３の開閉動作に追従して転写ユニット４０が相対移動する。
そして、開閉扉２３が閉鎖位置に到達すると、押圧機構１６０が働き、転写ユニット４０が作像ユニット３０側に押圧され、両者間の位置関係が良好に保たれる。
【図面の簡単な説明】
【００３３】
【図１】本発明が適用される実施の形態の概要に係る画像形成装置の開閉動作過程を示す説明図である。
【図２】図１に示す実施の形態の概要に係る画像形成装置から両面搬送構成体を取り外した態様での開閉動作過程を示す説明図である。
【図３】実施の形態１に係る画像形成装置の全体構成を示す説明図である。
【図４】実施の形態１に示す画像形成装置の開閉扉、転写ユニット、両面搬送ユニットの関係を示す説明図である。
【図５】実施の形態１で用いられる開閉扉及び両面搬送ユニットを示す斜視説明図である。
【図６】図５に示す開閉扉から両面搬送ユニットを取り外した状態を示す説明図である。
【図７】実施の形態１で用いられる両面搬送ユニットの詳細を示す説明図である。
【図８】実施の形態１で用いられる転写ユニットを示す斜視説明図である。
【図９】実施の形態１で用いられる転写ユニットの押圧機構を示す説明図である。
【図１０】実施の形態１で用いられる画像形成装置の開閉扉全開放時における両面搬送ユニット駆動伝達側の案内機構の状態を模式的に示す説明図である。
【図１１】実施の形態１で用いられる画像形成装置の開閉扉を図１０に示す全開放位置から閉動作する過程（１）を模式的に示す説明図である。
【図１２】実施の形態１で用いられる画像形成装置の開閉扉を図１０に示す全開放位置から閉動作する過程（２）を模式的に示す説明図である。
【図１３】実施の形態１で用いられる画像形成装置の開閉扉を図１０に示す全開放位置から閉動作する過程（３）を模式的に示す説明図である。
【図１４】実施の形態１で用いられる画像形成装置の開閉扉を図１０に示す全開放位置から閉動作する過程（４）を模式的に示す説明図である。
【図１５】実施の形態１で用いられる画像形成装置の開閉扉を図１０に示す全開放位置から完全に閉鎖した状態を模式的に示す説明図である。
【図１６】図１５中Ａ方向から見た矢視図である。
【図１７】実施の形態１で用いられる画像形成装置の開閉扉全開放時における両面搬送ユニット駆動伝達反対側の案内機構の状態を模式的に示す説明図である。
【図１８】実施の形態１で用いられる画像形成装置の開閉扉を図１７に示す全開放位置から閉動作する過程を模式的に示す説明図である。
【図１９】実施の形態１で用いられる画像形成装置の開閉扉を図１７に示す全開放位置から完全に閉鎖した状態を模式的に示す説明図である。
【図２０】（ａ）は実施の形態１で用いられる両面搬送ユニットを図５中上方から見た矢視図、（ｂ）は比較の形態に係る両面搬送ユニットを実施の形態１と同様な方向から見た矢視図である。
【図２１】実施の形態１に係る画像形成装置から両面搬送ユニットを取り外した態様の開閉扉閉時の状態を示す説明図である。
【図２２】実施の形態１に係る画像形成装置から両面搬送ユニットを取り外した態様の開閉扉の開放動作過程の一状態を示す説明図である。
【符号の説明】
【００３４】
１…装置筐体，１ａ…扉開口，２…作像手段，２ａ…像保持体，３…開閉扉，３ａ…回転支点，４…転写構成体，４ａ…回転支点，５…記録材，７…案内機構，７ａ…案内部材，７ｂ…被案内部材，１０…両面搬送構成体，１１（１１ａ，１１ｂ）…搬送経路部材，１２…搬送部材，１３…両面搬送経路，１４…搬送部材駆動伝達部，１５…開口部
【図１】
2010008485.tif 000003
【図２】
2010008485.tif 000004
【図３】
2010008485.tif 000005
【図４】
2010008485.tif 000006
【図５】
2010008485.tif 000007
【図６】
2010008485.tif 000008
【図７】
2010008485.tif 000009
【図８】
2010008485.tif 000010
【図９】
2010008485.tif 000011
【図１０】
2010008485.tif 000012
【図１１】
2010008485.tif 000013
【図１２】
2010008485.tif 000014
【図１３】
2010008485.tif 000015
【図１４】
2010008485.tif 000016
【図１５】
2010008485.tif 000017
【図１６】
2010008485.tif 000018
【図１７】
2010008485.tif 000019
【図１８】
2010008485.tif 000020
【図１９】
2010008485.tif 000021
【図２０】
2010008485.tif 000022
【図２１】
2010008485.tif 000023
【図２２】
2010008485.tif 000024